(57)【特許請求の範囲】
【請求項１】
電線の端末に固着されるとともに相手側端子金具と接続する端子本体部が筒状をなす端子金具が、後方から収容されるキャビティを有するハウジングと、
前記ハウジングのうち前記キャビティの後側に装着されて、前記電線と前記ハウジングとの間をシールするゴム栓と、を備え、
前記キャビティの前側部分には、前記端子本体部が収容される本体収容部が設けられ、
前記ゴム栓には、前記電線が貫通する貫通孔が形成されており、
前記貫通孔の中心は、前記本体収容部に前記端子本体部が収容された状態における前記電線の中心と揃うものとされ、
前記ハウジングには、前記キャビティの後端開口から前記本体収容部に向かって、前記貫通孔の中心と前記本体収容部の中心とのずれに応じて傾斜する誘い込み部が設けられている防水コネクタ。
【請求項２】
前記ハウジングには、前記ゴム栓の後方への抜け止めを図るホルダが組み付けられ、
前記ホルダには、前記端子本体部を前後方向に挿通可能な挿通孔が設けられており、
前記挿通孔の中心は、前記貫通孔の中心と揃うものとされている請求項１に記載の防水コネクタ。
【請求項３】
前記ハウジングのうち前記本体収容部の高さ方向に隣り合う部分には、前記本体収容部に収容された前記端子本体部に接触して複数の前記端子金具間を短絡状態とするショート端子が収容されるショート端子収容室が設けられ、
前記誘い込み部は、前記ハウジングのうち前記ショート端子収容室の後側に生じるスペースに設けられている請求項１または請求項２に記載の防水コネクタ。
【請求項４】
前記キャビティには、同キャビティに収容された前記端子金具に係止してその抜け止めを図る樹脂ランスが片持ち状をなして設けられ、
前記誘い込み部は、前記ハウジングのうち前記樹脂ランスの後側に生じるスペースに設けられている請求項１ないし請求項３のいずれか一項に記載の防水コネクタ。
【請求項５】
前記ハウジングのうち前記本体収容部の後側には、前記端子本体部を前後方向に通過させることが可能な通過路を有するリテーナが装着され、
前記リテーナは、前記通過路が前記本体収容部の位置に揃って配されることで、前記本体収容部へ前記端子本体部の通過を許容する位置と、前記通過路が前記本体収容部の位置からずれて配されることで、前記本体収容部に収容された前記端子本体部の抜け止めを図る位置とに保持されるものであり、
前記誘い込み部は、前記ハウジングのうち前記キャビティの後端開口と前記リテーナが装着されるリテーナ装着部との間に設けられている請求項１ないし請求項４のいずれか一項に記載の防水コネクタ。
【発明の詳細な説明】
【技術分野】
【０００１】
本発明は、防水コネクタに関する。
【背景技術】
【０００２】
従来、電線の端末に固着されるとともに相手側端子金具と接続する端子本体部が筒状をなす端子金具が、後方から収容されるキャビティを有するハウジングと、このハウジングのうちキャビティの後側に装着されて、電線とハウジングとの間をシールするゴム栓と、を備えた防水コネクタが知られている。ゴム栓には、電線が貫通する貫通孔が形成されており、端子金具は、貫通孔を通ってキャビティに収容され、貫通孔の内周面が電線の外周面に密着してハウジングと電線との間がシールされる。
【０００３】
例えば、下記特許文献１に記載の防水コネクタでは、貫通孔の中心とキャビティの中心とが揃うように形成されており、端子本体部は、比較的スムーズに、貫通孔を通ってキャビティに挿入される。
【先行技術文献】
【特許文献】
【０００４】
【特許文献１】特開２００９−１１７３７６号公報
【発明の概要】
【発明が解決しようとする課題】
【０００５】
ところで、一般に、電線の端末に固着された端子金具において、端子本体部が筒状をなすものは、端子本体部の中心と電線の中心とがずれていることが多い。そして、この中心のずれが大きい場合には、上記のような構成の防水コネクタでは、高いシール性を確保することが難しいという問題がある。なぜなら、端子本体部の中心と電線の中心とが大きくずれている場合には、貫通孔の中心と電線の中心とが大きくずれるため、貫通孔の内周面と電線の外周面とが一方の側に偏って密着することになる。このような状態で、電線が一方の側に曲げられた場合には、さらにその偏りが顕著になり、シール性が低下してしまうからである。
【０００６】
そこで、貫通孔の中心を、電線の中心に合わせることが考えられる。しかしながら、このような場合には、貫通孔の中心とキャビティの中心とがずれるため、端子本体部は、貫通孔を大きく変形させてキャビティに入ることになる。したがって、端子金具の挿入に要する力が増加したり、ひいてはゴム栓の切れを招く等、端子金具をハウジングに収容することが難しくなるという問題がある。
【０００７】
本発明は上記のような事情に基づいて完成されたものであって、端子本体部の中心が電線の中心からずれた端子金具がハウジングに収容される場合においても、高いシール性を確保することができ、かつ端子金具をハウジングに容易に収容することが可能な防水コネクタを提供することを目的とする。
【課題を解決するための手段】
【０００８】
本発明の防水コネクタは、電線の端末に固着されるとともに相手側端子金具と接続する端子本体部が筒状をなす端子金具が、後方から収容されるキャビティを有するハウジングと、前記ハウジングのうち前記キャビティの後側に装着されて、前記電線と前記ハウジングとの間をシールするゴム栓と、を備え、前記キャビティの前側部分には、前記端子本体部が収容される本体収容部が設けられ、前記ゴム栓には、前記電線が貫通する貫通孔が形成されており、前記貫通孔の中心は、前記本体収容部に前記端子本体部が収容された状態における前記電線の中心と揃うものとされ、前記ハウジングには、前記キャビティの後端開口から前記本体収容部に向かって、前記貫通孔の中心と前記本体収容部の中心とのずれに応じて傾斜する誘い込み部が設けられているものである。
【０００９】
このような構成によれば、貫通孔の内周面と電線の外周面とが全周にわたりバランスよく密着するから、高いシール性を確保することができる。また、端子本体部は、貫通孔を大きく変形させることなくキャビティの後端開口に入り、誘い込み部の傾斜によって後端開口から本体収容部に案内されるから、貫通孔と本体収容部との中心がずれていても、端子本体部を本体収容部にスムーズに収容することができる。したがって、端子本体部の中心が電線の中心からずれた端子金具がハウジングに収容される場合においても、高いシール性を確保することができ、かつ端子金具をハウジングに容易に収容することができる。
【００１０】
また、前記ハウジングには、前記ゴム栓の後方への抜け止めを図るホルダが組み付けられ、前記ホルダには、前記端子本体部を前後方向に挿通可能な挿通孔が設けられており、前記挿通孔の中心は、前記貫通孔の中心と揃うものとされているものとしてもよい。
このような構成によれば、挿通孔の中心と貫通孔の中心とがずれている場合に比して端子本体部が貫通孔の周囲に引っ掛かりにくいから、端子金具をハウジングに容易に収容することができる。
【００１１】
また、前記ハウジングのうち前記本体収容部の高さ方向に隣り合う部分には、前記本体収容部に収容された前記端子本体部に接触して複数の前記端子金具間を短絡状態とするショート端子が収容されるショート端子収容室が設けられ、前記誘い込み部は、前記ハウジングのうち前記ショート端子収容室の後側に生じるスペースに設けられているものとしてもよい。
このような構成によれば、ショート端子収容室の後側に生じるスペースを有効利用して誘い込み部が設けられているから、誘い込み部を設けることによってハウジングが高さ方向に大型化することを防ぐことができる。
【００１２】
また、前記キャビティには、同キャビティに収容された前記端子金具に係止してその抜け止めを図る樹脂ランスが片持ち状をなして設けられ、前記誘い込み部は、前記ハウジングのうち前記樹脂ランスの後側に生じるスペースに設けられているものとしてもよい。
このような構成によれば、樹脂ランスの後側に生じるスペースを有効利用して誘い込み部が設けられているから、誘い込み部を設けることによってハウジングが高さ方向に大型化することを防ぐことができる。
【００１３】
また、前記ハウジングのうち前記本体収容部の後側には、前記端子本体部を前後方向に通過させることが可能な通過路を有するリテーナが装着され、前記リテーナは、前記通過路が前記本体収容部の位置に揃って配されることで、前記本体収容部へ前記端子本体部の通過を許容する位置と、前記通過路が前記本体収容部の位置からずれて配されることで、前記本体収容部に収容された前記端子本体部の抜け止めを図る位置とに保持されるものであり、前記誘い込み部は、前記ハウジングのうち前記キャビティの後端開口と前記リテーナが装着されるリテーナ装着部との間に設けられているものとしてもよい。
【００１４】
このような構成によれば、貫通孔を大きく変形させることなくキャビティの後端開口に入った端子本体部は、誘い込み部の傾斜によってそのキャビティの後端開口からリテーナの通過路に案内され、やがて本体収容部に収容されるから、リテーナ付きのコネクタであっても、端子金具をハウジングに容易に収容することができる。
【発明の効果】
【００１５】
本発明によれば、端子本体部の中心が電線の中心からずれた端子金具がハウジングに収容される場合においても、高いシール性を確保することができ、かつ端子金具をハウジングに容易に収容することが可能な防水コネクタを提供することができる。
【図面の簡単な説明】
【００１６】
【図１】本実施形態のコネクタを示す斜視図
【図２】コネクタを示す背面図
【図３】一括ゴム栓を示す正面図
【図４】一括ゴム栓を示す背面図
【図５】一括ゴム栓を示す断面図
【図６】リアホルダを示す斜視図
【図７】リアホルダが仮係止状態であるハウジングを示す断面図であって、図２のＡ−Ａ位置における断面に相当する断面図
【図８】リアホルダが本係止状態であるハウジングを示す断面図であって、図２のＡ−Ａ位置における断面に相当する断面図
【図９】リアホルダの挿通孔に端子金具を挿通する様子を示す一部拡大断面図
【図１０】ゴム栓の貫通孔に端子金具が入り始めた様子を示す一部拡大断面図
【図１１】誘い込み部の傾斜によって端子金具が案内されている様子を示す一部拡大断面図
【図１２】端子金具の収容作業が完了した状態を示す一部拡大断面図
【発明を実施するための形態】
【００１７】
＜実施形態＞
以下、本発明を具体化した一実施形態について、図１〜図１２を参照しつつ詳細に説明する。
本実施形態におけるコネクタＣは、電線１０の端末に固着された端子金具２０、および特定の端子金具２０を短絡状態にするショート端子３０が内部に収容されるハウジング４０と、ハウジング４０の後端側に嵌着されてハウジング４０の内部をシールする一括ゴム栓（ゴム栓）６０と、一括ゴム栓６０の後側に組み付けられて一括ゴム栓６０の後方への抜け止めを図るリアホルダ７０と、を備えた防水コネクタである。このコネクタＣには、回動操作されることで図示しない相手側コネクタとの嵌合動作および離脱動作を助勢するレバーＬが備えられている。以下、各構成部材において、それぞれ相手側との嵌合面側を前方、その反対側を後方とし、また、図１の上側を上方、下側を下方として説明する。
【００１８】
端子金具２０は、導電性金属板をプレス加工等することで、全体として前後方向に細長い形状に成形されている（図１２参照）。端子金具２０の略前半部分は、前方から相手側端子金具が挿入されて接続される略角筒型をなす端子本体部２１とされ、略後半部分は、電線１０の端末に接続される電線接続部２２とされている。
【００１９】
端子本体部２１の内側には、相手側端子金具に弾性的に接触する弾性舌片２３が設けられている。弾性舌片２３は、端子本体部２１の底壁２１Ｓに沿って、その後側から前方に向かって延びる片持ち状をなしている。
端子本体部２１の天井壁２１Ｔには、弾性舌片２３との間に相手側端子金具を挟持する挟持部２４が、下側に膨出して設けられている。また、端子本体部２１の上面には、後述する樹脂ランス４６が後方から係止可能な係止部２５が突出して設けられている。
【００２０】
電線接続部２２は、電線１０の芯線１１に接続されるワイヤバレル２２Ｗと、電線１０の被覆１２に接続されるインシュレーションバレル２２Ｈとを備えている。ワイヤバレル２２Ｗは、電線１０の端末部において被覆１２を皮剥ぎすることによって露出された芯線１１に圧着され、インシュレーションバレル２２Ｈは、被覆１２の端末部に圧着されている。
【００２１】
電線１０の端末に端子金具２０が圧着された状態では、端子本体部２１の中心２１Ｃと電線１０の中心１０Ｃとは上下方向に若干ずれており、端子本体部２１の中心２１Ｃが、電線１０の中心１０Ｃよりも若干上側に位置している。なお、端子本体部２１の中心２１Ｃと電線１０の中心１０Ｃとは、左右方向においては揃っている。
【００２２】
ショート端子３０は、導電性金属板をプレス加工することで形成され、端子金具２０に弾性的に接触可能な弾性接触片３１を一対備えている（図１２参照）。弾性接触片３１は、それぞれショート端子３０の後端位置から片持ち状をなして前方に延び、その後端部（折り返し部分）を支点として上下方向に弾性変形可能とされている。弾性接触片３１の略前半部分は山形状に形成され、その頂点が、端子金具２０に接触する接触部３２とされている。
【００２３】
弾性接触片３１の下側には、弾性接触片３１の過度撓みを防止する過度撓み防止部３３が設けられている。過度撓み防止部３３は、基板部３４の前端を、上方に屈曲することで形成されている。
【００２４】
ハウジング４０は合成樹脂製であって、全体として略方形のブロック状をなし、その前側部分は、内部に複数の端子金具２０と複数のショート端子３０とが収容される端子収容部４１とされている（図７参照）。
【００２５】
端子収容部４１には、後方から端子金具２０が収容されるキャビティ４２が、複数設けられている。複数のキャビティ４２は、複数ずつ上下４段に分けて形成されている。各キャビティ４２の前側部分には、図１２に示すように、端子本体部２１が収容される本体収容部４３が設けられ、後側部分には、電線接続部２２の大部分（ワイヤバレル２２Ｗの一部およびインシュレーションバレル２２Ｈの全体）が収容されるバレル収容部４４が設けられている。
【００２６】
本体収容部４３には、本体収容部４３に収容された端子本体部２１の係止部２５に一次係止してその抜け止めを図る樹脂ランス４６が設けられている。樹脂ランス４６は、本体収容部４３の上面に設けられ、前方に向かって片持ち状をなして延び、その前端が係止部２５の後側に係止するものとされている。本体収容部４３に端子本体部２１が収容された状態では、本体収容部４３の中心と端子本体部２１の中心２１Ｃとが揃うものとされている。
【００２７】
また、端子収容部４１には、ショート端子３０を収容するショート端子収容室４７が、複数設けられている。ショート端子収容室４７は、上下方向においてキャビティ４２の間に位置して設けられている。ショート端子収容室４７に収容されたショート端子３０は、その上側に設けられた２室のキャビティ４２に収容された端子金具２０に接触して、一対の端子金具２０間を短絡状態にするものである。
【００２８】
なお、相手側コネクタと未嵌合の状態では、ショート端子３０に備えられた一対の弾性接触片３１が、一対の端子金具２０に接触してこの端子金具２０間が短絡状態とされ、相手側コネクタと正規嵌合した状態では、相手側コネクタに備えられた短絡解除部が端子金具２０と弾性接触片３１との間に入り込んで端子金具２０の短絡状態が解除される。その際、短絡解除部によって下方に押された弾性接触片３１の先端部は、ショート端子収容室４７の底壁に設けられた逃がし孔４８に入るものとされている。
【００２９】
端子収容部４１の前後方向の略中央部（本体収容部４３とバレル収容部４４との間）には、リテーナ８０が装着されるリテーナ装着部４９が設けられている（図７参照）。リテーナ装着部４９は、ハウジング４０の上面側に開口するとともにすべてのキャビティ４２に連通している。
【００３０】
リテーナ８０は、ハウジング４０と同様に合成樹脂材にて形成されている。リテーナ８０には、端子本体部２１を前後方向に通過させることが可能な通過路８１が複数設けられている。各通過路８１は、各キャビティ４２に対応して前後方向に貫通する孔である。
【００３１】
各通過路８１の前端には、図１２に示すように、端子金具２０に係止してその抜け止めを図る抜け止め部８２が設けられている。抜け止め部８２は、各通過路８１の上面に設けられ、端子本体部２１の後端に係止する。
【００３２】
リテーナ８０は、ハウジング４０に対して、通過路８１が本体収容部４３の位置に揃って配されることで、本体収容部４３へ端子本体部２１の通過を許容する仮係止位置（図１１参照）と、通過路８１が本体収容部４３の位置からずれて配されることで、本体収容部４３に収容された端子本体部２１の抜け止めを図る本係止位置（図１２参照）とに保持される。
【００３３】
リテーナ８０が仮係止位置に保持されているときには、抜け止め部８２がキャビティ４２の上方に退避し、リテーナ８０が本係止位置に保持されているときには、抜け止め部８２がキャビティ４２に進入する。なお、リテーナ８０が仮係止位置に保持されているときには、通過路８１の中心８１Ｃと本体収容部４３の中心とが揃うものとされている。
【００３４】
端子収容部４１の前面には、フロントホルダ９０が組み付けられている。フロントホルダ９０は合成樹脂材料からなり、フロントホルダ９０がハウジング４０に組み付けられた状態では、その周壁部９１の後端が、端子収容部４１の外周面に嵌着されたシールリング５１の前端に対向し、シールリング５１の前方への抜けが防止される（図７参照）。
【００３５】
フロントホルダ９０の前壁部９２には、各キャビティ４２と対応する位置に、相手側端子金具を前方からキャビティ４２内に挿入可能な端子挿入孔９３と、短絡解除部を挿入可能な短絡解除用孔９４とが設けられている。また、フロントホルダ９０の前壁部９２には、逃がし孔４８の下側に位置して、ショート端子３０の弾性接触片３１と、その下側に収容された端子金具２０との間を絶縁する絶縁壁９５が突設されている。
【００３６】
ハウジング４０のうち端子収容部４１の後側には、図７に示すように、一括ゴム栓６０及びリアホルダ７０が収容される収容凹部５２が、後方に開口して形成されている。収容凹部５２は、後方から見ると四隅が弧状とされた略方形をなしている。収容凹部５２の前側部分には一括ゴム栓６０が収容され、後側部分にはリアホルダ７０が収容される。収容凹部５２には、後述するリアホルダ７０の仮係止突部７３および本係止突部７４がそれぞれ係止可能な係止開口部５３が設けられている。
【００３７】
一括ゴム栓６０は、収容凹部５２に隙間なく嵌合可能な略方形の厚板状に形成されている。一括ゴム栓６０の外周には、収容凹部５２の内壁面に対して弾性的に密着してその間を水密状態とする外周リップ部６１が形成されている（図５参照）。
【００３８】
また、一括ゴム栓６０には、電線１０が貫通する貫通孔６２が複数形成されている。複数の貫通孔６２は、各キャビティ４２と対応して形成されている。
各貫通孔６２のうち前後方向における中心部分は、電線１０の外周面に密着する密着部６３とされている。密着部６３は略円形断面をなし、その内周には、電線１０の外周に弾性的に密着可能な内周リップ部６４が形成されている（図５参照）。
【００３９】
各貫通孔６２の中心６２Ｃ（密着部６３の中心）は、図１２に示すように、本体収容部４３に端子本体部２１が収容された状態における電線１０の中心１０Ｃと揃うものとされている。
【００４０】
また、貫通孔６２のうち密着部６３の前後には、密着部６３よりも上下方向の開口寸法が大きくされた拡開部６５が設けられている。拡開部６５は、密着部６３に向かって緩い弧状をなして凹む形状とされている。
【００４１】
拡開部６５は、端子金具２０の形状に合わせて、密着部６３の上側により広くされている（図３及び図４参照）。拡開部６５の上下は、図５に示すように、その上縁が緩い弧状をなし、下縁が直線状をなしている。前後の拡開部６５は、ほぼ同形状とされている。
【００４２】
一括ゴム栓６０の後面には、後述するリアホルダ７０に設けられた嵌合凸部７２が嵌合する嵌合凹部６６が設けられている。嵌合凹部６６は、上下の貫通孔６２の間に設けられている。嵌合凹部６６は、後方からみると、横長形状をなし、貫通孔６２の２つ分にわたる幅寸法を有している（図４参照）。
【００４３】
嵌合凹部６６には、嵌合凸部７２によって外側に強く押圧される押圧用リップ部６７が奥側に一対形成されている（図５参照）。一対の押圧用リップ部６７は、貫通孔６２の密着部６３に設けられた一対の内周リップ部６４と、前後方向の位置がそれぞれほぼ同じとされている。
【００４４】
リアホルダ７０は、合成樹脂製であって、全体として略方形の厚板状に形成され、収容凹部５２にほぼ緊密に嵌合し得るものとされている。リアホルダ７０は、ハウジング４０の内部に端子金具２０を収容する際には仮係止状態にされ（図７参照）、端子金具２０を収容し終えると前方に移動させて本係止状態にされるものである（図８参照）。
【００４５】
リアホルダ７０には、端子本体部２１を前後方向に挿通可能な挿通孔７１が設けられている。挿通孔７１は、一括ゴム栓６０の貫通孔６２と対応して複数設けられている。すべての挿通孔７１は、略同形状をなしている。挿通孔７１の断面形状は、全体として上下方向に長い長方形状をなし、その幅寸法および上下方向の寸法は、貫通孔６２の後端（拡開部６５の後端）の同方向の寸法とそれぞれ同等とされている（図２参照）。挿通孔７１の上下両面は、ともに水平な面とされている。挿通孔７１の中心７１Ｃは、図７に示すように、貫通孔６２の中心６２Ｃと揃うものとされている。なお、挿通孔７１の上面は、後側から見ると、図２に示すように、左端が最も上側に位置するように段差状に形成されている。
【００４６】
リアホルダ７０には、リアホルダ７０が仮係止状態から本係止状態に移行するのに伴って、一括ゴム栓６０の嵌合凹部６６に嵌合する嵌合凸部７２が設けられている（図７および図８参照）。嵌合凸部７２は、嵌合凹部６６を弾性的に押し広げるようにして嵌合凹部６６に嵌合することにより、貫通孔６２の密着部６３を縮径方向に押圧する。
【００４７】
嵌合凸部７２は、リアホルダ７０の前面に突設されている（図６参照）。嵌合凸部７２は、すべての嵌合凹部６６に対応する位置に設けられている。嵌合凸部７２は、嵌合凹部６６の形状に沿う外形をなし、全体として、横方向に長い長方形断面の柱状をなしている。
【００４８】
リアホルダ７０は、仮係止状態において収容凹部５２の係止開口部５３に係止する仮係止突部７３と、本係止状態において収容凹部５２の図示しない係止開口部に係止する本係止突部７４とを有している。仮係止突部７３は、リアホルダ７０の上面および下面に一対ずつ設けられ、本係止突部７４は、リアホルダ７０の両側面に一対ずつ設けられている。
【００４９】
ハウジング４０には、キャビティ４２の後端開口４５から本体収容部４３に向かって、貫通孔６２の中心６２Ｃと本体収容部４３の中心４３Ｃとのずれに応じて傾斜する誘い込み部５４が設けられている。誘い込み部５４は、ハウジング４０のうちキャビティ４２の後端開口４５とリテーナ装着部４９との間に設けられている。誘い込み部５４は、ハウジング４０のうちショート端子収容室４７の後側に生じるスペースと樹脂ランス４６の後側に生じるスペースとに設けられている。誘い込み部５４は、ショート端子収容室４７の上壁（本体収容部４３の底壁）および樹脂ランス４６と同等の高さに位置している。
【００５０】
誘い込み部５４は、キャビティ４２のバレル収容部４４の上面および下面に形成されている。誘い込み部５４のうちバレル収容部４４の上面に設けられた上側誘い込み部５４Ｕは、キャビティ４２の後端開口４５から前方に向かって少しずつ下る傾斜をなしている。また、誘い込み部５４のうちバレル収容部４４の下面に設けられた下側誘い込み部５４Ｓは、キャビティ４２の後端開口４５から前方に向かって少しずつ上る傾斜をなしている。なお、上側誘い込み部５４Ｕは、下側誘い込み部５４Ｓに比して、緩やかな傾斜とされている。
【００５１】
上側誘い込み部５４Ｕおよび下側誘い込み部５４Ｓは、バレル収容部４４のうちその前端部を除く全体にわたり形成されている。バレル収容部４４の上面および下面のうち上側誘い込み部５４Ｕおよび下側誘い込み部５４Ｓよりも前側の部分は水平な面とされ、バレル収容部４４の前端部４４Ｍの断面形状は、本体収容部４３の後端の断面形状とほぼ同形状とされている。
【００５２】
上側誘い込み部５４Ｕおよび下側誘い込み部５４Ｓが設けられることで、バレル収容部４４の中心は、後端から前方に向かって少しずつ上側にずれている。そして、バレル収容部４４の前端部４４Ｍの中心４４Ｃ、リテーナ８０の通過路８１の中心８１Ｃ、および本体収容部４３の中心４３Ｃとが揃って配される。
【００５３】
次に、上記コネクタＣにおいて端子金具２０をハウジング４０に収容する手順の一例を説明する。なお、端子金具２０を挿入する前には、リアホルダ７０は仮係止状態に組み付けられ、一括ゴム栓６０は非圧縮の状態（弾性変形していない状態）で収容されている。また、端子本体部２１の前進を可能にするべく、リテーナ８０は仮係止位置に保持されている。
【００５４】
まず、端子金具２０をハウジング４０のキャビティ４２に挿入する。電線１０の端末に固着された端子金具２０は、図９に示すように、リアホルダ７０の挿通孔７１に挿入され、端子本体部２１は、挿通孔７１内をスムーズに前進して前方に通り抜ける。
【００５５】
やがて、端子本体部２１は、図１０に示すように、リアホルダ７０から若干離れたところに位置する一括ゴム栓６０の貫通孔６２に突入する。このとき、挿通孔７１の中心７１Ｃと貫通孔６２の中心６２Ｃとが直線状に揃うとともに、貫通孔６２は縮径変形していないので、端子金具２０はスムーズに前進する。
【００５６】
さらに、端子金具２０を前方に押すと、図１１に示すように、端子本体部２１はキャビティ４２の後端開口４５に突入し、下側誘い込み部５４Ｓの緩やかな傾斜によって少しずつ上方へ変位する。そして、端子本体部２１の前端部がバレル収容部４４の前端部４４Ｍに至ると、端子本体部２１は水平な姿勢になり、リテーナ８０の通過路８１に突入する。その後、端子本体部２１は、通過路８１を通り抜けて本体収容部４３に進入する。このとき、バレル収容部４４の前端部４４Ｍから本体収容部４３にかけて、その中心４４Ｃ，８１Ｃ，４３Ｃが直線状に揃っているから、端子金具２０はスムーズに前進する。
【００５７】
端子本体部２１は、樹脂ランス４６を上方に押すとともにショート端子３０の弾性接触片３１を下方に押して前進し、やがて正規の位置まで挿入される。すると、弾性撓みしていた樹脂ランス４６が弾性復帰して係止部２５に係止し、また、弾性接触片３１は端子本体部２１に弾性的に接触した状態で保持される。このとき、一括ゴム栓６０の内周リップ部６４は、電線１０の外周に対して弾性的に密着し、外周リップ部６１は、収容凹部５２の内壁面に対して弾性的に密着した状態になっている。
【００５８】
そして、全ての端子金具２０について挿入作業が完了したら、仮係止位置に保持されているリテーナ８０を本係止位置に押し込む。これにより、すべての端子金具２０が二次係止される。
【００５９】
また、仮係止状態のリアホルダ７０を本係止状態にする。仮係止状態のリアホルダ７０を前方へ押すと、リアホルダ７０の嵌合凸部７２が、一括ゴム栓６０の嵌合凹部６６を上下左右に押し広げながら、嵌合凹部６６の押圧用リップ部６７を押し潰すようにして嵌合凹部６６に嵌合する。これにより、貫通孔６２の内周リップ部６４が内側に押圧され、電線１０に対してより強く密着し、また一括ゴム栓６０の外周リップ部６１は収容凹部５２の内壁面により強く密着して、高いシール性能が確保される。
以上により、端子金具２０の収容作業が完了する。
【００６０】
上記のように構成された本実施形態によれば、以下の効果を奏する。
本実施形態のコネクタＣは、電線１０の端末に固着されるとともに相手側端子金具２０と接続する端子本体部２１が筒状をなす端子金具２０が、後方から収容されるキャビティ４２を有するハウジング４０と、ハウジング４０のうちキャビティ４２の後側に装着されて、電線１０とハウジング４０との間をシールする一括ゴム栓６０と、を備え、キャビティ４２の前側部分には、端子本体部２１が収容される本体収容部４３が設けられ、一括ゴム栓６０には、電線１０が貫通する貫通孔６２が形成されており、貫通孔６２の中心６２Ｃは、本体収容部４３に端子本体部２１が収容された状態における電線１０の中心１０Ｃと揃うものとされ、ハウジング４０には、キャビティ４２の後端開口４５から本体収容部４３に向かって、本体収容部４３の中心４３Ｃと貫通孔６２の中心６２Ｃとのずれに応じて傾斜する誘い込み部５４が設けられている。
【００６１】
これにより、貫通孔６２の内周面と電線１０の外周面とが全周にわたりバランスよく密着するから、高いシール性を確保することができる。また、端子本体部２１は、貫通孔６２を大きく変形させることなくキャビティ４２の後端開口４５に入り、誘い込み部５４の傾斜によって後端開口４５から本体収容部４３に案内されるから、貫通孔６２の中心６２Ｃと本体収容部４３の中心４３Ｃとがずれていても、端子本体部２１を本体収容部４３にスムーズに収容することができる。したがって、端子本体部２１の中心２１Ｃが電線１０の中心１０Ｃからずれた端子金具２０がハウジング４０に収容される場合においても、高いシール性を確保することができ、かつ端子金具２０をハウジング４０に容易に収容することができる。
【００６２】
また、ハウジング４０には、一括ゴム栓６０の後方への抜け止めを図るリアホルダ７０が組み付けられ、リアホルダ７０には、端子本体部２１を前後方向に挿通可能な挿通孔７１が設けられており、挿通孔７１の中心７１Ｃは、貫通孔６２の中心６２Ｃと揃うものとされている。
これにより、挿通孔７１の中心７１Ｃと貫通孔６２の中心６２Ｃとがずれている場合に比して端子本体部２１が貫通孔６２の周囲に引っ掛かりにくいから、端子金具２０をハウジング４０に容易に収容することができる。
【００６３】
また、ハウジング４０のうち本体収容部４３の後側には、端子本体部２１を前後方向に通過させることが可能な通過路８１を有するリテーナ８０が装着され、リテーナ８０は、通過路８１が本体収容部４３の位置に揃って配されることで、本体収容部４３へ端子本体部２１の通過を許容する仮係止位置と、通過路８１が本体収容部４３の位置からずれて配されることで、本体収容部４３に収容された端子本体部２１の抜け止めを図る本係止位置とに保持されるものであり、誘い込み部５４は、ハウジング４０のうちキャビティ４２の後端開口４５とリテーナ８０が装着されるリテーナ装着部４９との間に設けられている。
【００６４】
これにより、貫通孔６２を大きく変形させることなくキャビティ４２の後端開口４５に入った端子本体部２１は、誘い込み部５４の傾斜によって後端開口４５からリテーナ８０の通過路８１に案内され、やがて本体収容部４３に収容されるから、リテーナ８０付きのコネクタＣであっても、端子金具２０をハウジング４０に容易に収容することができる。
【００６５】
また、ハウジング４０のうち本体収容部４３の下側に位置する部分（高さ方向に隣り合う部分）には、本体収容部４３に収容された端子本体部２１に接触して複数の端子金具２０間を短絡状態とするショート端子３０が収容されるショート端子収容室４７が設けられ、誘い込み部５４は、ハウジング４０のうちショート端子収容室４７および樹脂ランス４６の後側に生じるスペースに設けられている。
これにより、ショート端子収容室４７および樹脂ランス４６の後側に生じるスペースを有効利用して誘い込み部５４が設けられているから、誘い込み部５４を設けたことによってハウジング４０が高さ方向に大型化することを防ぐことができる。
【００６６】
＜他の実施形態＞
本発明は上記記述及び図面によって説明した実施形態に限定されるものではなく、例えば次のような実施形態も本発明の技術的範囲に含まれる。
（１）上記実施形態では、端子金具２０の端子本体部２１は角筒状をなすものとされているが、これに限らず、例えば、端子金具の端子本体部は円筒状をなすものであってもよい。
（２）上記実施形態では、本発明を、複数の端子金具２０がハウジング４０に収容されるコネクタＣに適用した場合について説明したが、本発明は、ハウジングに収容される端子金具が１本のみであるコネクタにも適用することができる。
（３）上記実施形態では、本発明を、リテーナ８０付きのコネクタＣに適用した場合について説明したが、本発明は、リテーナが備えられていないコネクタにも適用することができる。
（４）上記実施形態では、本発明を、ハウジング４０にショート端子収容室４７が設けられているコネクタＣに適用した場合について説明したが、本発明は、ショート端子収容室が設けられていないコネクタにも適用することができる。
（５）上記実施形態では、キャビティ４２の後端開口４５と一括ゴム栓６０の拡開部６５とはほぼ同形状とされているが、これに限らず、例えば、キャビティの後端開口と一括ゴム栓の拡開部とは異なる形状であってもよく、そのような場合には、キャビティの後端開口を一括ゴム栓の拡開部よりも一回り大きくするのがよい。
【符号の説明】
【００６７】
Ｃ…コネクタ（防水コネクタ）
１０…電線
１０Ｃ…電線の中心
２０…端子金具
２１…端子本体部
３０…ショート端子
４０…ハウジング
４２…キャビティ
４３…本体収容部
４３Ｃ…本体収容部の中心
４５…後端開口（キャビティの後端の開口）
４６…樹脂ランス
４７…ショート端子収容室
４９…リテーナ装着部
５４…誘い込み部
６０…一括ゴム栓（ゴム栓）
６２…貫通孔
６２Ｃ…貫通孔の中心
７０…リアホルダ（ホルダ）
７１…挿通孔
７１Ｃ…挿通孔の中心
８０…リテーナ
８１…通過路
【図１】
0006036663.tif 000002
【図２】
0006036663.tif 000003
【図３】
0006036663.tif 000004
【図４】
0006036663.tif 000005
【図５】
0006036663.tif 000006
【図６】
0006036663.tif 000007
【図７】
0006036663.tif 000008
【図８】
0006036663.tif 000009
【図９】
0006036663.tif 000010
【図１０】
0006036663.tif 000011
【図１１】
0006036663.tif 000012
【図１２】
0006036663.tif 000013